(57)【要約】      （修正有）【課題】お土産品などとして用いられる小型化したミニチュアの着物について、軽量で組み立ての簡単な展示用品を提供する。【解決手段】小型化の着物２００および帯３００を少なくとも備えた小型の和装１００を展示するための小型の和装の展示用品１は、本体部１０および支持部２０を少なくとも備え、これらはそれぞれ折り畳み可能とされている。本体部１０は、略矩形形状の台座部１２と、台座部の後部上辺から上方向へ延びる板状の背もたれ部１４とを有している。支持部２０は、本体部の背もたれ部１４に着脱可能に取り付けられている。小型の着物１００は本体部１０、支持部２０を覆い隠して取り付けられ、小型の帯３００が支持部に巻き付けられて小型の着物１００を固定している。【選択図】図５
0003229010.tif 000002
【実用新案登録請求の範囲】
【請求項１】
小型化した着物および帯を少なくとも備えた小型の和装を展示するための小型の和装の展示用品において、
小型の和装の展示用品は本体部および支持部を少なくとも備え、本体部および支持部はそれぞれ折り畳み可能とされ、
本体部は、略矩形形状の台座部と、台座部の後部上辺から上方向へ延びる板状の背もたれ部とを有し、
支持部は、本体部の背もたれ部に着脱可能に取り付けられ、
小型の着物は本体部および支持部を覆い隠して取り付けられ、小型の帯が支持部に巻き付けられて小型の着物を固定している小型の和装の展示用品。
【請求項２】
本体部は、台座部の両側面から上方向へ延びて形成される一対の肘掛け部をさらに有し、
肘掛け部の上端部のうち、背もたれ部に近い後端は切り欠かかれるとともに、前端はなだらかな湾曲形状に形成されている請求項１記載の小型の和装の展示用品。
【請求項３】
台座部はその内部が中空とされるとともに、台座部のいずれか一面が開閉もしくは着脱可能とされている請求項１または２記載の小型の和装の展示用品。
【請求項４】
支持部は断面略半円形状の中空の柱型形状とされ、その前面上端に１または複数の切込みが形成されている請求項１〜３のいずれか記載の小型の和装の展示用品。
【考案の詳細な説明】
【技術分野】
【０００１】
本考案は、小型（ミニチュアサイズ）の和装を展示するための小型の和装の展示用品に関する。
【背景技術】
【０００２】
クールジャパンの高まりとともに、日本の文化のひとつである着物（和装）に注目が集まっている。日本へ観光に来た外国人が着物に興味を持ち、着物をお土産品として購入して自国へ持ち帰るケースもある。
【０００３】
しかし、着物自体が複数の布地を縫合して作製されたものであり、重量があり、嵩張る。また、通常サイズの着物には帯、帯締め、襦袢などの多くの付属品がある。そのため、あらゆる付属品を購入し、重量のある着物（和装）一式を自国へ持ち帰るのは困難である。
【０００４】
一方、趣味の一つとして、古着の着物や帯の布地を再利用し、小型サイズ（ミニチュアサイズ）の着物などに仕立て上げる「着物（和装）のリメイク」がよく知られている。我が国の着物店や呉服店でも、このような小型の着物（和装）がサンプル品などとしてよく展示されている。小型の着物であれば着物の重量や嵩を抑えることができ、お土産品として持ち帰りが容易であると考えられる。また、小型の着物であれば着物の付属品の点数を抑えることができ、この点からも持ち帰りが容易である。
【０００５】
ところで、通常のサイズの着物を展示する場合、衣桁（いこう）がよく使用されている。衣桁は、棒状部材を鳥居のような形状に組み立てた着物の展示用品である。衣桁を使用すれば着物の袖や前身頃が広がり、着物全体の柄をよりよく見せて見栄えのよい状態で展示することができることが知られている（たとえば、実用新案登録第３１２０３２９号公報、実用新案登録第３０３７７６３号公報）。
【０００６】
実用新案登録第３１２０３２９号公報では、着物を展示する際、着物の襟に相当する部分に襟の支持部材を備えた衣桁（着物の展示用品）が開示されている。
また、実用新案登録第３０３７７６３号公報では、着物の中央部および下端に、着物を左右方向に広げて支持する各張り部材をかけ渡した衣桁（着物の展示用品）が開示されている。
【先行技術文献】
【特許文献】
【０００７】
【特許文献１】実用新案登録第３１２０３２９号公報
【特許文献２】実用新案登録第３０３７７６３号公報
【考案の概要】
【考案が解決しようとする課題】
【０００８】
実用新案登録第３１２０３２９号公報によれば、襟の支持部材が着物の襟を立った状態に支持するため、見栄えのよい状態で着物を展示することができる。
実用新案登録第３０３７７６３号公報によれば、着物の中央部および下端に設けられた張り部材が着物の中央部（胴部）および下端（裾）を広げた状態に支持するため、着物の裏地の柄などを視認可能な状態で展示することができる。
【０００９】
実用新案登録第３１２０３２９号公報、実用新案登録第３０３７７６３号公報の各衣桁を小型化して小型の着物の展示用品に転用すれば、小型の着物を見栄えのよい状態で展示したり、裏地の柄なども視認したりすることができる。
しかし、実用新案登録第３１２０３２９号公報、実用新案登録第３０３７７６３号公報の各衣桁（着物の展示用品）はスタンド型であり、安定性が低い。そのため、小型の着物をお土産として持ち帰った観光客が自宅に展示しようとしても、小型の着物の展示用品がすぐに倒れてしまうおそれがある。
安定性を得るためには、小型の着物の展示用品を全体的に大きくしたり、あるいは展示用品の台座部を重くして重心の位置を下方にしたりすることが考えられる。しかし、大きく、重量のある着物の展示用品を持ち帰ることは観光客にとって負担であり、敬遠されることが否定できない。また、特に着物に不慣れな外国人観光客にとって、小型の着物の展示用品（衣桁）の組立は不慣れであり困難な場合がある。
【００１０】
本考案は、観光客にとって容易に持ち帰ることできるとともに安定性があり、組立の簡単な小型の和装の展示用品を提供することを目的としている。
【課題を解決するための手段】
【００１１】
上記目的を達成するために、本考案は折り畳み可能で軽量な小型の和装の展示用品とされ、組み立てると自立可能な略椅子型形状となる。
すなわち、請求項１に係る本考案によれば、小型化した着物および帯を少なくとも備えた小型の和装を展示するための小型の和装の展示用品において、小型の和装の展示用品は本体部および支持部を少なくとも備え、本体部および支持部はそれぞれ折り畳み可能とされ、本体部は、略矩形形状の台座部と、台座部の後部上辺から上方向へ延びる板状の背もたれ部とを有し、支持部は、本体部の背もたれ部に着脱可能に取り付けられ、小型の着物は本体部および支持部を覆い隠して取り付けられ、小型の帯が支持部に巻き付けられて小型の着物を固定している。
【考案の効果】
【００１２】
請求項１に係る本考案では、折り畳み可能で軽量であるため、観光客が容易に持ち帰ることができる。また、組み立ても簡単である。そして、小型の和装の展示用品は、略矩形形状の台座部と板状の背もたれ部とを有する本体部を備え、台座部が接地して自立可能とされる。このため、小型の和装の展示用品を組み立てると安定性を確保、維持することができる。
【図面の簡単な説明】
【００１３】
【図１】本考案の一実施例に係る小型の和装の展示用品における本体部と支持部とを離反させた斜視図を示す。
【図２】本考案の一実施例に係る小型の和装の展示用品における本体部と支持部とを組み合わせた斜視図を示す。
【図３】（Ａ）（Ｂ）は小型の和装の展示用品の本体部の概略展開図、（Ｃ）は支持部の概略展開図をそれぞれ示す。図３（Ａ）〜（Ｃ）の破線は山折り、一点鎖線は谷折り、細線は補助線をそれぞれ示す。
【図４】（Ａ）は本考案で使用される小型の着物を平面に広げた際の概略展開図、（Ｂ）は小型の帯を平面に広げた際の概略展開図をそれぞれ示す。
【図５】小型の和装（着物および帯）と小型の和装の展示用品との概略斜視図を示す。
【考案を実施するための形態】
【００１４】
小型化した着物および帯を少なくとも備えた小型の和装を展示するための小型の和装の展示用品において、小型の和装の展示用品は本体部および支持部を少なくとも備え、本体部および支持部はそれぞれ折り畳み可能とされ、本体部は、略矩形形状の台座部と、台座部の後部上辺から上方向へ延びる板状の背もたれ部とを有し、支持部は、本体部の背もたれ部に着脱可能に取り付けられ、小型の着物は本体部および支持部を覆い隠して取り付けられ、小型の帯が支持部に巻き付けられて小型の着物を固定している。
【実施例】
【００１５】
以下、図面を参照しながら本考案の実施例について詳細に説明する。図１は、本考案の一実施例に係る小型の和装の展示用品における本体部と支持部とを離反させた斜視図を示す。図２は、本考案の一実施例に係る小型の和装の展示用品における本体部と支持部とを組み合わせた斜視図を示す。
上下前後左右は、適宜、小型の和装の展示用品を俯瞰した方向を表し、Ｕｐ、Ｌｗ、Ｆｒ、Ｒｒ、Ｌ、Ｒで示す。
【００１６】
本考案の小型の和装の展示用品１は、後述するように通常の着物を小型化した、いわゆる小型（ミニチュアサイズ）の着物２００および小型の帯３００を少なくとも備える（総称としての）和装１００を展示するための物品である（図４参照）。
なお、一般的に「着物」との単語を用いる場合、帯を除いた布製の着衣部のみを指す場合（狭義の着物）と、狭義の着物に帯を取り付けた総称（広義の着物）を指す場合とがある。本考案においては、帯を除いた布製の着衣部のみ（狭義の着物）を「（小型の）着物」と、総称（広義の着物）を「（小型の）和装」とそれぞれいう。小型の着物、小型の和装の符号は、それぞれ２００、１００とされる。
【００１７】
小型の和装の展示用品１の構成について述べる。
図１に示すように、小型の和装の展示用品１は、本体部１０および支持部２０を少なくとも備えている。本体部１０および支持部２０は、後述する図３（Ａ）〜（Ｃ）に示すように、展開した状態において板状となる薄い部材（たとえばプラスチック素材などの合成樹脂や厚紙）から構成されるものである。
本体部１０は、後述する図３（Ａ）（Ｂ）の部材１０−１、２を、支持部２０は図３（Ｃ）の部材２０−１をそれぞれ組み立てることにより形成される。
【００１８】
本体部１０は、略矩形形状の台座部１２と、台座部の後部上辺から上方向へ延びる板状の背もたれ部１４とを有している。また、本体部１０は、台座部１２の両側面から上方向へ延びて形成される左右一対の肘掛け部１６（１６Ｌ、Ｒ）をさらに有している。
【００１９】
台座部１２は、小型の和装の展示用品１を平面に設置する際の台座となる部材であり、たとえば略矩形形状とされている。たとえば、台座部１２の幅（左右方向の長さ）Ｘ１は約１５ｃｍ、奥行きＹ１（前後方向の長さ）は約１０ｃｍ、高さ（上下方向の長さ）Ｚ１は約１０ｃｍとされるが、これらの長さに限定されない。符号１２Ｕｐは台座部の上面（座面）を示す。
台座部１２は、たとえばその内部が中空とされ、台座部のいずれか一面が蓋となり開閉もしくは着脱可能とされている。図１では、台座部の上面１２Ｕｐの前辺（前端）は前方に向かって延ばされており、延ばされた部分はフラップ１２ａとされている。たとえば、台座部の後辺（後端）１２ｂは背もたれ部の前面１４Ｆｒに接続され、台座部の上面１２Ｕｐはフラップ１２ａを持ち上げることで開閉可能とされている。そのため、台座部の中空の内部に畳んだ小型の着物２００や帯３００、これらの付属品（図示しない）などを収納することが可能である。もちろん、台座部１２の構成はこれに限定されない。
符号１２Ｆｒは台座部の正面（前面）を示す。
【００２０】
背もたれ部１４は、台座部の後辺（後端）から上方に向かって延びる板状の部材である。すなわち、台座部１２と背もたれ部１４とで略椅子型形状を構成している。背もたれ部１４の高さＺ２は約２０ｃｍとされるが、この高さに限定されない。
図１、２の背もたれ部１４は、後述する部材１０−１、２（図３（Ａ）（Ｂ））の２部材の一部から形成されている。具体的に、背もたれ部１４は、部材１０−１に折曲した部材１０−２を重複させた二重構造とされている（図１）。背もたれ部１４の上辺にＶ字形状の溝１４ａを形成し、溝には背もたれ部１４の左右方向（長手方向）に延びる棒状部材１４ｂを設置してもよい。詳細は後述するが、溝１４ａは部材１０−１の一部を折曲することにより形成されている（図１、３（Ａ））。符号１４ａ−１は、その中央が谷折りされて、溝１４ａのＶ字の対向する面となる溝形成部を示す。符号１４ｃは、部材１０−１の端部であり、背もたれ部１４の上辺から後方に折曲された折曲部を示す。符号１４Ｆｒは、背もたれ部１４の前面を示す。
【００２１】
左右一対の肘掛け部１６（１６Ｌ、１６Ｒ）は、台座部の左右側辺（左右側面）から上方に向かって延びる板状の部材である。肘掛け部１６の高さＺ３は背もたれ部の高さＺ２よりも短いとされている。たとえば、肘掛け部１６の高さＺ３は約６ｃｍとされるが、この高さに限定されない。
左右一対の肘掛け部１６の上端部のうち、背もたれ部１４に接する後端は切り欠かかれている。符号１６ａは、肘掛け部の後端の切欠きを示す。また、左右一対の肘掛け部１６の上端部のうち、背もたれ部１４から遠ざかる方向に位置する端部（前端）は、なだらかな湾曲形状に形成されている。符号１６ｂは、肘掛け部の前端の湾曲面を示す。
【００２２】
支持部２０は、本体部１０とは別の部材であり、図１のように、たとえば断面が前方に向かって湾曲する断面略半円形状の中空の柱型形状とされている。符号２０Ｆｒは、湾曲した支持部の前面を示す。支持部２０の高さは背もたれ部１４の高さＺ２よりも短いとされ、約７ｃｍとされるが、この高さに限定されない。
図１、２に示すように、支持部２０の中空の内部背面（後面）が本体部の背もたれ部１４に沿うように、支持部の内部に背もたれ部を挿入することで本体部１０および支持部が一体化される。背もたれ部１４の上方から、背もたれ部に沿うように支持部２０を取り付けると、図２に示すように支持部の下端が肘掛け部の切欠き１６ａの下端に突き当てられる。
支持部の前面２０Ｆｒの上端には１または複数の切込み２２が形成され、各切込みの上端は支持部の断面内部へ向かう方向（内方）にわずかに折曲されている。図１、２では、たとえば切込み２２の数は７個、切込みの長さ（深さ）は１．４ｃｍとされるが、この数や長さに限定されない。
【００２３】
本体部１０および支持部２０の展開図について述べる。
図３（Ａ）（Ｂ）は小型の和装の展示用品の本体部の概略展開図、（Ｃ）は支持部の概略展開図をそれぞれ示す。図３（Ａ）〜（Ｃ）の破線は山折り、一点鎖線は谷折り、細線は補助線をそれぞれ示す。
本体部１０は、図３（Ａ）に示す部材１０−１と、（Ｂ）に示す部材１０−２とをそれぞれ折曲し、組み立てることにより形成される。部材１０−１、２は、展開した状態において板状となる一枚の薄い部材（たとえば厚紙、薄いプラスチック素材）から構成されるものである。
【００２４】
図３（Ａ）の部材１０−１は、上から折曲部１４ｃ、溝形成部１４ａ−１、背もたれ部の前面１４Ｆｒ−１、台座部の上面１２Ｕｐ、フラップ部１２ａを連結してなる部材である。折曲部１４ｃ、溝形成部１４ａ−１の間などの各間は谷折りまたは山折りに折曲可能とされており、折曲により各部に分断されている。
まず、溝形成部１４ａ−１の中央部を谷折りして、溝１４ａを形成する。折曲部１４ｃと溝形成部１４ａ−１との間、溝形成部と背もたれ部の前面１４Ｆｒ−１との間をそれぞれ山折りする。次に、背もたれ部１４に対して台座部の上面１２Ｕｐが垂直方向（前方向）に延びるように、背もたれ部と上面との間を谷折りする。そして、台座部の上面１２Ｕｐに対してその先端のフラップ部１２ａが垂直方向（下方向）に延びるように、上面とフラップ部との間を山折りする。
【００２５】
図３（Ｂ）の部材１０−２は、左から台座部の前面（正面）１２Ｆｒ、左の肘掛け部（台座部の左側面）１６Ｌ、背もたれ部の前面１４Ｆｒ−２（および台座部の後面１２Ｒｒ）、右の肘掛け部１６Ｒを連結してなる部材である。台座部の前面１２Ｆｒ、左の肘掛け部１６Ｌの間などの各間は谷折りに折曲可能とされており、折曲により各部に分断されている。台座部の前面１２Ｆｒは、その上辺に糊代部１２Ｆｒ−１が、その下辺に部分底面１２Ｌｗがそれぞれ連結されている。糊代部１２Ｆｒ−１は、部材１０−１の台座部の上面１２Ｕｐに糊付けされる部分である。部分底面１２Ｌｗは、後述する別の部分底面１４Ｌｗに連結されて台座部の底面（図示しない）を形成する部分である。
部材１０−２の背もたれ部の前面１４Ｆｒ−２は、その下部に部分底面１４Ｌｗが連結されている。図３（Ｂ）の補助線Ｂは、部材１０−１、２を組み立てた場合の台座部の上面１２Ｕｐの位置を示している。すなわち、図３（Ｂ）の中央部において、補助線Ｂよりも上の面は背もたれ部の前面１４Ｆｒ−２と、下の面は台座部の後面（背面）１２Ｒｒと、それぞれされている。
【００２６】
まず、図３（Ｂ）において、糊代部１２Ｆｒ−１、部分底面１２Ｌｗが台座部の前面１２Ｆｒに対して垂直方向に延びるように、これらの間で谷折りする。同様に、部分底面１４Ｌｗが台座部の後面１２Ｒｒに対して垂直方向に延びるように、これらの間で谷折りする。次に、左右の肘掛け部１６Ｌ、１６Ｒが背もたれ部の前面１４Ｆｒ（台座部の後面１２Ｒｒ）に対して垂直方向に延びるように、これらの間でそれぞれ谷折りする。このように山折りすることにより、台座部の前面１２Ｆｒおよび背もたれ部の前面１４Ｆｒ（および台座部の後面１２Ｒｒ）、左の肘掛け部１６Ｌおよび右の肘掛け部１６Ｒがそれぞれ平行に位置し、部材１０−２が断面矩形形状に形成される。台座部の前面の左端１２Ｆｒ−Ｌと、右の肘掛け部の右端１６Ｒ−Ｒとは、たとえば粘着テープにより連結される。
また、部分底面１２Ｌｗ、１４Ｌｗが重複し、重複した箇所を糊付け（あるいは粘着テープで貼り付け）することにより、台座部の底面（図示しない）が形成される。
【００２７】
支持部２０は、図３（Ｃ）に示す部材２０−１を折曲し、組み立てることにより形成される。部材２０−１は、展開した状態において板状となる一枚の薄い部材（たとえば厚紙、薄いプラスチック素材）から構成されるものであり、部材１０−１、２と同様の素材とからなるものとされる。しかし、これに限定されず、同様の素材でなくてもよい。
部材２０−１は、図３（Ｃ）の左から、支持部の前面（正面）２０Ｆｒ、後面（背面）２０Ｒｒを連結してなる部材である。支持部の前面２０Ｆｒ、後面２０Ｒｒの間は、谷折り可能とされている。支持部の前面２０Ｆｒ、後面２０Ｒｒの間を谷折りし、支持部の前面２０Ｆｒが後面２０Ｒｒの前方に位置するように前面を湾曲させて折曲する。そして、前面の左端２０Ｆｒ−Ｌを後面の右端２０Ｒｒ−Ｒに接続し、たとえば粘着テープにより連結させる。
【００２８】
部材１０−１、２、２０−１の組み立て、一体化について述べる。
まず、部材１０−１の背もたれ部の前面１４Ｆｒ−１および折曲部１４ｃが、部材１０−２の上方から、部材１０−２の背もたれ部の前面１４Ｆｒ−２の前後をそれぞれ挟持する。つまり、部材１０−１の背もたれ部の前面１４Ｆｒ−１および折曲部１４ｃが、部材１０−２の背もたれ部の前面１４Ｆｒ−２の上部を被覆するように配置されることで、部材１０−１、２の重複した二重構造の背もたれ部１４が形成される。このとき、部材１０−１の溝形成部１４ａ−１は、部材１０−２の背もたれ部の前面１４Ｆｒ−２の上辺（上端）を覆い隠すように配置される。また、背もたれ部の前面１４Ｆｒは、部材１０−２の背もたれ部の前面１４Ｆｒ−２の前に、部材１０−１の背もたれ部の前面１４Ｆｒ−１が配置、重複されて形成される。
そして、部材１０−１の上面１２Ｕｐ、部材１０−２の前面１２Ｆｒ、左右の肘掛け部１６（１６Ｒ、Ｌ）、後面１２Ｒｒ、部分底面１２Ｌｗ、１４Ｌｗにより、台座部１２が形成される。
【００２９】
次に、部材２０−１を折曲、連結することにより支持部２０を形成し、支持部の中空の内部背面が本体部の背もたれ部１４に沿うように、支持部の内部に背もたれ部を挿入することで、本体部と支持部とが取り付けられ、一体化される（図２）。
【００３０】
小型の和装の展示用品１で展示される小型の着物１００の構成について述べる。
図４（Ａ）は本考案で使用される小型の着物を平面に広げた際の概略展開図、（Ｂ）は小型の帯を平面に広げた際の概略展開図をそれぞれ示す。
小型の和装１００は、布製の着衣部である小型の着物２００に、小型の帯３００を取り付けた総称とされている（図５参照）。通常、着物を着用する際には帯留め、帯締め、半襟などの付属品も併せて使用される。本考案における小型の和装１００は、小型の着物２００と帯３００とを少なくとも備えれば足りるため付属品の記載を省略するが、これらの付属品があってもよいことはいうまでもない。
【００３１】
小型の着物２００は、図４（Ａ）に示すように、たとえば左右一対の袖２１０、前身頃２１２、襟２１４、左右一対の紐状部材２２０などから構成されているが、これらに限定されない。図４（Ａ）において、小型の着物２００は、向かって右の前身頃が展開され（広げられ）、向かって左の前身頃２１２Ｌが右の前身頃２１２Ｒよりも上方に重畳（重複）されている。
小型の着物２００は、たとえば通常の着物の１／４〜１／５程度の長さとされ、図４の横方向（左右方向）の長さＸ２は約３４ｃｍ、縦方向（上下方向）の長さＹ２（身丈）は約４０ｃｍとされているが、これらの長さに限定されない。また、図４（Ａ）の小型の着物２００は袖２１０の長い着物、すなわち振袖を模した形状となっているが、袖の短い着物でもよく、着物の形状はこれに限定されない。
【００３２】
左右一対の袖２１０、前身頃２１２、襟２１４は、通常の着物の構造と同様であるため、ここでは詳細を省略する。なお、符号２１０ａは肩部を示す。
左右の前身頃２１２Ｌ、Ｒの裏地の中央部には、左右一対の紐状部材２２０がそれぞれ取り付けられている。
【００３３】
帯３００は、図４（Ｂ）に示すように、たとえば帯本体３１０、帯揚げ３１２、お太鼓３１４、紐状部材３２０などから構成されているが、これらに限定されない。帯３００は、たとえば通常の帯の１／４〜１／５程度の長さとされ、図４の横方向（左右方向）の長さＸ３は約４７ｃｍ、縦方向の長さＹ３（身丈）は約７．５ｃｍとされているが、これらの長さに限定されない。
【００３４】
帯本体３１０は、通常胴部に巻き付けられる長い織物であり、長手方向（左右方向）の端部には面ファスナー３１０ａ、ｂが取り付けられている。お太鼓３１４はあらかじめ完成された状態（帯を結んだ状態）に形成され、帯揚げ３１２とともに帯揚げの中心部３１２ａで縫製により一体化されている。帯揚げの中心部３１２ａは、帯本体３１０の中央右寄りに縫製により取り付けられている。帯揚げ３１２、お太鼓３１４のそのほかの構成は通常の帯の構造と同様であるため、ここでは詳細を省略する。
帯揚げの中心部３１２ａには、左右一対の紐状部材３２０がさらにそれぞれ取り付けられている。
【００３５】
小型の和装の展示用品１を使用した着物１００の展示方法について述べる。
図５は、小型の和装（着物および帯）と小型の和装の展示用品との概略斜視図を示す。
まず、小型の和装の展示用品１を組み立てる。上述のように部材１０−１、２、２０−１をそれぞれ組立て、本体部１０、支持部２０を形成する（図１、３）。そして、支持部２０の内部に本体部の背もたれ部１４を挿入して一体化させて、小型の和装の展示用品１を組み立てる（図２）。
【００３６】
次に、小型の着物２００を小型の和装の展示用品１に取り付ける。具体的に、まず、小型の和装の展示用品１を人形に見立てて小型の着物２００に着衣させるように背もたれ部１４の後方から小型の着物を拡張し、取り付ける。支持部の切込み２２における折曲の角度を調整しつつ、小型の着物２００の左右の前身頃２１２を支持部の前面２０Ｆｒで合わせる。小型の着物２００で本体部１０（台座部１２、背もたれ部１４、一対の肘掛け部１６）および支持部２０を被覆して隠し、着物の一対の紐状部材２２０を支持部の前面２０Ｆｒの中央部で結びつける。
背もたれ部の溝１４ａに棒状部材１４ｂを設置した場合は、棒状部材が小型の着物の肩部２１０ａを吊り下げて支持するように、棒状部材および小型の着物の位置を調整する。
【００３７】
そして、小型の着物２００に帯３００を取り付ける。具体的に、小型の着物２００の上から支持部２０の周囲に巻き付けるように支持部（背もたれ部１４）の後方から帯本体３１０を取り付ける。このとき、帯揚げ３１２、お太鼓３１４が支持部２０（背もたれ部１４）の後部中央に位置するように調整する。そして、帯本体の面ファスナー３１０ａ、ｂにより、帯本体３１０を（小型の着物２００の上から）支持部２０の周囲に固定する。さらに、帯揚げの中心部３１２ａから延びる一対の紐状部材３２０を後方から前方に回し、支持部の前面２０Ｆｒの中央部で小型の着物２００の上から一対の紐状部材を結びつけることで、帯本体の位置を調整し、帯３００を固定する。
帯揚げ３１２を後方から前方に回し、（小型の着物２００の上から）支持部の前面２０Ｆｒの中央部で結びつける。帯揚げ３１２の両端を帯本体３１０の前面上辺から帯本体の内側へ差し入れて隠す。一対の紐状部材２２０、３２０が外観から視認できる場合は、小型の着物２００や帯３００の内部へ差し入れて隠す。
最後に、小型の和装１００の下端（裾）や袖２１０などの位置を調整して全体的な外観を調整し、小型の和装の展示用品１の安定性を確認する。
【００３８】
小型の和装の展示用品１の本体部１０、支持部２０を形成する部材１０−１、２、２０−１はそれぞれ折り畳み可能である。そのため、小型の和装の展示用品１は軽量であり、お土産品として購入した和装１００とともに、観光客が小型の和装の展示用品を容易に持ち帰ることができる。また、組み立ても簡単である。
小型の和装の展示用品１の本体部１０は、台座部１２および背もたれ部１４を合わせた略椅子型形状とされ、特に台座部は略矩形形状とされている。小型の和装の展示用品１は、小型の和装１００を取り付けても着物の重量で倒れたりすることなく、十分に自立可能な大きさとされる。小型の着物２００が固さのある布地からなる場合、小型の着物の裾が接地することで小型の和装の展示用品１の安定性がさらに確保される。また、台座部の内部に重しを入れたり、小型の着物２００の内部に支持部材（図示しない）を配置すれば、小型の和装の展示用品１の安定性がさらに確保される。そのため、小型の和装の展示用品１は十分な安定性を確保、維持することができる。
【００３９】
本体部の背もたれ部１４に取り付けられた支持部２０は、その下端が肘掛け部の切欠き１６ａの下端に突き当てられる。そのため、支持部２０は背もたれ部１４および台座部１２に対する相対的な位置がずれることなく、安定する。
また、肘掛け部の前端には湾曲面１６ｂが形成されている。小型の和装の展示用品１に小型の着物２００を取り付ける際、小型の着物の前身頃２１２は湾曲面１６ｂに沿って肘掛け部１６を被覆し、覆い隠す。もし肘掛け部の前端が湾曲していなければ小型の着物の前身頃２１２の外観に肘掛け部１６による凹凸が形成され、小型の着物２００の見栄えが低下する。すなわち、湾曲面１６ｂにより小型の着物２００の外観上の見栄えが向上する。
【００４０】
フラップ１２ａを持ち上げることで台座部の上面（座面）１２Ｕｐが開閉可能とされていれば、台座部の中空の内部に畳んだ小型の着物２００や帯３００、これらの付属品（図示しない）などを収納することができ、利便性が向上する。
支持部の前面２０Ｆｒは、その断面が前方に向かって湾曲する断面略半円形状とされている。また、支持部の前面２０Ｆｒには切込み２２が設けられている。支持部の前面２０Ｆｒの湾曲形状や切込み２２により、小型の和装１００（着物２００）の襟を実際の着物のような自然なふくらみを持つ形状とすることができる。
【００４１】
また、背もたれ部１４の上端に溝１４ａを設け、溝に棒状部材１４ｂを設置すれば、棒状部材が小型の着物の肩部２１０ａを支持することができる。そのため、小型の和装１００（着物２００）の柄などをよりよく展示することができ、小型の着物の外観上の見栄えが向上する。
小型の和装１００を展示しない場合は、支持部２０を前後逆にして背もたれ部１４に取り付ければ、台座部１２の内部に付属品などを収納して台座部を小物入れとして使用することができる。あるいは、小型の和装の展示用品１が略椅子形状であることから、対応する大きさの人形（図示しない）を台座部１２に座らせて展示することができる。
【００４２】
上述した実施例は、この考案を説明するためのものであり、この考案を何等限定するものでなく、この考案の技術範囲内で変形、改造等の施されたものも全てこの考案に包含されることはいうまでもない。
【産業上の利用可能性】
【００４３】
本考案は、小型（ミニチュアサイズ）の着物のみならず、実物大の着物における展示用品として応用することもできる。
【符号の説明】
【００４４】
１        小型の和装の展示用品
１０      本体部
１２      台座部
１４      背もたれ部
１６      肘掛け部
２０      支持部
２２      切込み部
１００    小型の和装（ミニチュアの和装）
２００    小型の着物
３００    小型の帯
【図１】
0003229010.tif 000003
【図２】
0003229010.tif 000004
【図３】
0003229010.tif 000005
【図４】
0003229010.tif 000006
【図５】
0003229010.tif 000007